(57)【要約】      （修正有） 【課題】壁面への植栽等、植物を横向きや下向きに植えても土壌がこぼれることがない植生緑化マットを提供する。【解決手段】ネット袋１と、その中にいれた土壌２からなり、ネット袋１は、多数の孔を開けた袋状のネットで、内部に培養土や水苔からなる土壌２を充填し、開口部３を閉鎖し、土壌が流出しないようにし、植物の根を包み込む。これにより、ネット袋１の内部の土壌に根をはり植生させることを特徴とする植生緑化マットを構成する。【選択図】図１
0003165671.tif 000002
【実用新案登録請求の範囲】
【請求項１】
ネット袋１と、その中にいれた土壌２からなり、ネット袋１は、多数の孔を開けた袋状のネットで、内部に培養土からなる土壌２や水苔を充填し、開口部３を閉鎖し、土壌２や水苔が流出しないようにし、植物の根を包み込むことで、ネット袋１の内部の土壌２や水苔に根をはり植生させることを特徴とする植生緑化マット。
【請求項２】
前記ネット袋は、０２ｍｍから１ｍｍの直径の略円状の孔を、０２ｍｍから１ｍｍの間隔で配置し、植物をくるめたとき、植物の根を通り易くし、水も吸収しやすくし、通気性にも適したことを特徴とする請求項１記載の植生緑化マット。
【請求項３】
開放口３を縛ることにより、３６０度どの方向に向けても、培養土の土壌２や水苔が流出しないことを特徴とする請求項１又は請求項２に記載の植生緑化マット。
【考案の詳細な説明】
【技術分野】
【０００１】
本発明は、植物を育成するための植生緑化マットに関する。
【背景技術】
【０００２】
従来は、壁面に植生させて緑化するとき、適当な量の培養土や水苔を各種形状の容器において、容器を横向きにしたとき、土壌が流出しないように、容器の表面に土留め材を設け、植物を生育できるようにしている。
【０００３】
しかしながら、壁面に植物を植えようとした場合、土留め材だけでは、容器内部の土壌流出を、止める事ができないという欠点があった。
【０００４】
また、限られた形状容器により自由な配置や配列が難しく、植物を天井より地面向きに植えた場合も同様である。
【０００５】
使用後の培養土の処理が廃棄物となっており、ゴミ処理にも影響をもたらすものである。本発明はマットを再利用できる植生緑化マットを提供することである。
【先行技術文献】
【特許文献】
【０００６】
【特許文献１】特開2003-321818公報
【特許文献２】特開2005-256520公報
【特許文献３】特開2009-82102公報
【特許文献４】特開平8-134941公報
【特許文献５】特開平8-134941公報
【考案の概要】
【考案が解決しようとする課題】
【０００７】
通常の植物は、土壌がこぼれないように、室内外問わず、横向きや、下向きに植えることができなく、上向きに植える必要があった。
【０００８】
従来は容器の前面に土留を設けなければ、転倒時や横向きに植えた場合に容器内部の土壌および水苔の流出を防止する事が出来なかった。
【０００９】
転倒や傾きにより土留め材がはずれ土壌が流出する。
【００１０】
また、ベランダなどは、共用部分が多く、土の流出などが問題になっている。ハンギングバスケットを使用する際においても同様である。
【００１１】
そのため、ガーデニングのためのスペースを少ししか確保し得ない場合にあっては、配置できる植物及び量共に少なくなり、満足のいく規模のものとはなり難かった。
【課題を解決するための手段】
【００１２】
ネット袋１と、その中にいれた土壌２等からなり、ネット袋１は、多数の孔を開けた袋状のネットで、内部に培養土などの土壌２や水苔を充填し、開口部３を閉鎖し、土壌が流出しないようにし、植物の根を包み込むことで、ネット袋１の内部の土壌に根をはり植生させることを特徴とする植生緑化マット
【００１３】
前記ネット袋は、０２ｍｍから１ｍｍの直径の略円状の孔を、０２ｍｍから１ｍｍの間隔で配置し、植物をくるめたとき、植物の根を通り易くし、水も吸収しやすくし、通気性にも適したことを特徴とする植生緑化マット。
【００１４】
開口部３を縛ることにより、３６０度どの方向に向けても、培養土等の土壌２や水苔が流出しないことを特徴とする請求項１又は請求項２に記載の植生緑化マット。
【考案の効果】
【００１５】
１）室内外問わず、横向きや、下向きに植えることができる。
２）植生緑化マットは土壌や水苔が充填され柔軟性を有しており、自由な形状の容器に収納が可能であり、取り入れ取り出しが容易である。
３）自立型の容器であるならば、３６０度方向に植えることが可能である。
４）土壌がネットにて覆われているため、雑草などの生育を抑制できる。
５）ネット袋は、腐食しにくい材質（例えば、ポリエステル１００％）であるため、水を貯めたケースにつけ、底面潅水方式にも適している。
【図面の簡単な説明】
【００１６】
【図１】本考案の植生緑化マットの構成
【図２】本考案の土壌をいれた植生緑化マットの制作方法（ａ）土壌をいれる前（ｂ）土壌をいれた後（ｃ）袋の開口部を閉じた状態
【図３】本考案の植生緑化マットへの植え込み（ａ）植物を植え込む前（ｂ）植物を植えつけた状態  ｃ）植物の根を植生緑化マットで包み込んだ状態
【図４】植生緑化マット使用例  植物の根を植生緑化マットで包み込んだ状態で、自由な形状の容器５に収納した例、（ａ）は容器に入れる前  （ｂ）容器にいれた後
【考案を実施するための形態】
【００１７】
本考案の実施例を示す
図１は、本考案の植生緑化マットの構成を示す。本考案の植物緑化マットＡは、ネット袋１と、その中にいれた土壌２からなる。ネット袋１は、多孔の袋状のネットで、内部に培養土や水苔を充填し開口部を閉鎖し、土壌や水苔が流出しないようにしている。ネット袋には、０２ｍｍから１ｍｍの直径の略円状の孔を、０２ｍｍから１ｍｍの間隔で配置し、植物をくるめたとき、根が孔を通り抜け、根が袋に入れた土壌に張りやすいように、通気性や吸水性を提供している。ネット袋は、腐食しにくい材質（例えば、ポリエステル１００％）で構成する。植物の根を、植物緑化マットで包み込み各種形状容器に入れる事で根がネット袋１の土壌や水苔に根をはり植生させる植生緑化マットは土壌や水苔が充填され柔軟性を有しており、自由な形状の容器に収納が可能である。
【００１８】
図２は、本考案の土壌や水苔をいれた植生緑化マットの製作方法を示す。（ａ）は土壌をいれる前、（ｂ）は土壌をいれた後、（ｃ）はネット袋１の開   口部３を閉じた状態を示す。土壌や、水苔を植生緑化マットに詰め込み閉じ   る。
【００１９】
図３は本考案の植生緑化マットへの植え込みを示す。（ａ）は植物を植え込む前、（ｂ）は植物を植えつけた状態、（ｃ）は植物の根を植生緑化マットで包み込んだ状態を示す。植物４の根４１を植生緑化マットＡで包み込むことで、根４１が、植生緑化マットを突き抜けて袋の中の土壌２や水苔に届き、育成できる。
【００２０】
図４は、植物の根を植生緑化マットで包み込んだ状態で、自由な形状の容器５に収納した例で（ａ）は容器に入れる前、（ｂ）容器にいれた後を示す。
図４の(a)に示すように、植物の根を植生緑化マットＡでくるみ、そのくるんだ状態で、植物の根４１を、(b)のように各種形状の容器５にいれる。土壌は植生緑化マットＡのネット袋１につつまれているので、容器５を横向けに配置しても土壌２がこぼれないので、植物を育成できる。土壌は雨でも流出しない。
【産業上の利用可能性】
【００２１】
家庭用のガーデニングのツールを提供する。
【符号の説明】
【００２２】
Ａ  植生緑化マット
１  ネット袋
１１  孔
２  土壌
３  ネット開口部
４  植物
４１  根
５  容器
５１  孔
【図１】
0003165671.tif 000003
【図２】
0003165671.tif 000004
【図３】
0003165671.tif 000005
【図４】
0003165671.tif 000006